(57)【要約】  【課題】  筆記部の没入時には、クリップ本体がスプリングの付勢力によって復帰しようとするが、軸筒とクリップ本体との静摩擦が発生しているため、クリップ本体を摺動・復帰させるために前記スプリングの強度を高くするか、或いは、クリップ本体の軸筒に対する付勢力、すなわち、挟持力を弱くしなければならなかった。  【解決手段】  軸筒内に複数の筆記体が出没可能に配置された複式筆記具であって、前記筆記体の各々にスライド部材を取り付けると共に、そのスライド部材の少なくとも１個にクリップ部材を設け、そのクリップ部材の前部を筆記体の突出時において軸筒から離隔させた複式筆記具。【選択図】  図３
2006334832.tif 000002
【特許請求の範囲】
【請求項１】
軸筒内に複数の筆記体が出没可能に配置された複式筆記具であって、前記筆記体の各々にスライド部材を取り付けると共に、そのスライド部材の少なくとも１個にクリップ部材を設け、そのクリップ部材の前部を筆記体の突出時において軸筒から離隔させたことを特徴とする複式筆記具。
【請求項２】
前記スライド部材を軸筒に形成した摺動溝に係合させると共に、筆記体の突出時においてはその摺動溝から離脱させたことを特徴とする請求項１記載の複式筆記具。
【請求項３】
前記スライド部材を筆記体の突出時において、スライド部材の後部を軸筒の中心方向に向けて移動させたことを特徴とする請求項１、或いは、請求項２に記載の複式筆記具。
【発明の詳細な説明】
【技術分野】
【０００１】
本発明は、軸筒内に複数の筆記体が出没可能に配置された複式筆記具に関する。
【背景技術】
【０００２】
１例として、軸筒と、該軸筒内に軸方向へスライド可能に係合するとともに該軸筒の外周面から露出する押子とを備え、該押子の前進位置の際に筆記部を前記軸筒から突出させ、また同押子の後退位置の際に前記筆記部を前記軸筒内に没入させるようにした筆記具において、前記押子にクリップ本体を一体的に具備し、開閉操作可能な開閉操作機能付クリップを構成し、この開閉操作機能付クリップは、支点部を境にその前後部位が軸筒に対し交互に接近するように、前記押子に対して前記クリップ本体を支持し、更に同開閉操作機能付クリップは、前記クリップ本体と軸筒との間が前記支点部よりも前方側で狭められるように、前記クリップ本体を付勢した複式筆記具が知られている。
【０００３】
【特許文献１】特開２００５−１１１８７６号公報。
【発明の開示】
【発明が解決しようとする課題】
【０００４】
しかし、上記の従来技術にあっては、筆記部の没入時にクリップ本体がスプリングの付勢力によって復帰しようとするが、軸筒とクリップ本体との静摩擦が発生しているため、クリップ本体を摺動・復帰させるために前記スプリングの強度を高くするか、或いは、クリップ本体の軸筒に対する付勢力、すなわち、挟持力を弱くしなければならなかった。
しかし、前記スプリングの強度を高めてしまうと、筆記部を突出させるための操作が重くなってしまい、操作感、並びに使用感が悪くなってしまっていた。また、クリップ本体の軸筒に対する付勢力を弱めてしまうと、挟持力が弱まることになり、クリップとしての機能を果たさない場合が生じてきてしまう。
【課題を解決するための手段】
【０００５】
本発明は、軸筒内に複数の筆記体が出没可能に配置された複式筆記具であって、前記筆記体の各々にスライド部材を取り付けると共に、そのスライド部材の少なくとも１個にクリップ部材を設け、そのクリップ部材の前部を筆記体の突出時において軸筒から離隔させたことを要旨とする。
【発明の効果】
【０００６】
本発明は、軸筒内に複数の筆記体が出没可能に配置された複式筆記具であって、前記筆記体の各々にスライド部材を取り付けると共に、そのスライド部材の少なくとも１個にクリップ部材を設け、そのクリップ部材の前部を筆記体の突出時において軸筒から離隔させたので、操作感の良好な複式筆記具を提供することができる。
【発明を実施するための最良の形態】
【０００７】
図１〜図７に示し説明する。黒色や赤色、青色、緑色の４色からなるボールペンが摺動自在に配置されている多芯筆記具である。ボールペンばかりではなく、シャープペンシルを適宜組み合わせても良い。参照符号１は、軸本体であり、その軸本体１は、前軸２と後軸３とより構成されている。また、本例において、前軸２は、先部材４と中軸５の螺合構造により構成されているが、一体的に形成されていても良い。
【０００８】
前記後軸３には、その長手方向に４個のスリット６が形成されている。本例においては、４個のスリット６が形成されているが、筆記体であるボールペンの数が４本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外径方向に向かって拡開するほぼ扇形をした脚部８が形成されている。この脚部８は、スリット６が形成されることにより形成される。よって、筆記体の数によって脚部８の数は変わる。
【０００９】
前記後軸３のスリット６には、スライダー９が摺動自在に配置されている。このスライダー９の長手方向の両側には、摺動突起１０が形成されており、前記スリット６に形成された摺動溝７に摺動可能に係合している。このスライダー９の背面には、間隔をおいて２つの解除突起１１、１２が形成されており、スライダー９の前端部には、筆記体を接続する球状の接続部１３が形成されている。そして、この接続部１３には、ボールペンやシャープペンシルなどの筆記体１４が接続されている。参照符号１５は、筆記体１４並びに筆記体１４に接続するスライダー９を後方に付勢するコイルスプリングなどの弾撥部材である。
【００１０】
また、前記スライダー９の１つには、クリップ１６が取り付けられているが、スライダー９と一体形成などしても良い。別部材で構成することによって、例えば、スライダーを摺動性の良好な材質とし、一方、クリップを弾力性に富んだ材質として選択することもできる。また、スライダーを樹脂成形品、クリップを金属材質から構成し、高級感を持たせても良いし、スライダーを使用する色の樹脂で形成する一方、クリップを透明な樹脂から構成し、デザイン性を向上させても良い。以下具体的に前記取り付け構造について説明する。スライダー９には、後軸３のスリット６から突出する取り付け部１７が延設形成されている。その取り付け部１７には、窓孔１７ａが形成されている。紐などを通すことができ、首などからぶら下げるような使用もできる。さらに、取り付け部１７の上部側面には、係合溝１７ｂが周状に形成されている。その係合溝１７ｂには係合突起１７ｃが形成されている。一方、前記クリップ１６には、前記係合溝１７ｂに嵌まり込む窓孔１６ａが長手方向に形成されており、その窓孔１６ａの内面には前記係合突起１７ｃと嵌合・固定する係合凹部１６ｂが形成されている。すなわち、スライダー９とクリップ１６は、係合溝１７ｂと窓孔１６ａ、並びに、係合突起１７ｃと係合凹部１６ｂにより強固に固定されている。符号１６ｃは、クリップ１６の前方裏面に形成された挟持部となる玉部である。
【００１１】
前記前軸２の１部材である中軸５の中間部には、規制部１８が形成されており、その規制部１８には、筆記体１４が遊挿する４つの貫通孔１９が形成されており、前記規制部１８に弾撥部材１5の一端を係止させることにより、筆記体１４を後方に付勢している。また、中軸５の内側で、規制部１８の後方には、長手方向に４つの溝部２０が形成されており、この溝部２０に前記後軸の４つの脚部８が摺接され、組み立て時に脚部８が案内されるようになっている。また、その溝部２０は、脚部８の断面形状とほぼ同形をなしている。即ち、外径方向に向かって拡開する扇形を形成している。
また、前記前軸２の１部材である先部材４は、前記中軸５に対して螺合により着脱自在に固定されている。この先部材４と中軸５とを一体的に形成しても良いが、筆記体１４の交換や成形の容易性を考慮すると２部材とし、着脱自在に固定した方が良い。
尚、本実施例においては、後軸３の脚部８の中間部にリブなどを形成することによって中軸５の溝部２０に押し付けるように組み付けているが、脚部８を上方に向けて扇形状を維持しつつ徐々に大形としたり、或いは、溝部２０を下方に向けて徐々に細形にするなどしても良い。
【００１２】
次に動作について説明する。クリップ１６が取り付けられたスライダー９を前方（図中下方）に押圧すると、そのスライダー９は、スリット６並びに摺動溝７に案内されながら、筆記体１４を伴い前進し、筆記体１４の先端が軸本体１の先端より突出する。と、同時に、スライダー９が軸筒本体１の内側に押し込まれ、次いで、スライダー９の側面部に形成されている摺動突起１０の後端が、軸本体１の中心方向に向かって倒れ込み、やがて、摺動溝７の前端部に係合し、筆記体１４の後退作用を阻止する。つまり、この摺動溝７をスリット６の中間部までしか形成しないことにより、スライダー９の係合をも兼ねるようになっている。このとき、スライダー９の後端が軸本体１の中心方向に向かって傾いているため、クリップ１６の前方部（玉部１６ｃ）は軸本体１の表面から離隔するようになる（隙間Ｓ）。すなわち、クリップ１６の玉部１６ｃと非接触状態（隙間Ｓ）となる（図１２〜図１４参照）。
次に、筆記体１４を軸本体１に収納したい場合には、他のスライダー９を押圧する。他のスライダー９を押圧すると、互いのスライダー９の背面に形成されている解除突起１１、１２が衝突する。この衝突作用により、押圧されている状態にあるスライダー９が軸筒本体１の外側方向に押圧される。そして、この押圧作用により、前記スライダー９の摺動突起１２と摺動溝７との係合が解除され、その解除作用により突出している状態にある筆記体１４が弾撥部材１５の作用により後退し軸本体１内に没入する。このとき、クリップ１６の玉部１６ｃは、軸本体１の表面から離隔した状態にあるので、静摩擦が発生せず、その結果、弾撥部材１５の少ない復元力で確実に復帰することができる。すなわち、弾撥力の少ない弾撥部材を選択することができると共に、長期の使用により仮に弾撥力が弱まってしまっても確実な復帰動作が得られるものとなっている。
【図面の簡単な説明】
【００１３】
【図１】本発明の１例を示す外観正面図。
【図２】図１の側面図。
【図３】図１の斜視図。
【図４】図２の縦断面図。
【図５】図４のＡ−Ａ線断面図。
【図６】図４のＢ−Ｂ線断面図。
【図７】スライダーを示す外観側面図。
【図８】図７の斜視図。
【図９】クリップを示す外観斜視図。
【図１０】動作を示す外観側面図。
【図１１】図１０の上面図。
【図１２】図１１のＣ−Ｃ線断面図。
【図１３】図１１のＤ−Ｄ線断面図。
【図１４】図１２の要部拡大図。
【符号の説明】
【００１４】
１      軸本体
２      前軸
３      後軸
４      先部材
５      中軸
６      スリット
７      摺動溝
８      脚部
９      スライダー
１０    摺動突起
１１    解除突起
１２    解除突起
１３    接続部
１４    筆記体
１５    弾撥部材
１６    クリップ
１７    取り付け部
１８    規制部
１９    貫通孔
２０    溝部
【図１】
2006334832.tif 000003
【図２】
2006334832.tif 000004
【図３】
2006334832.tif 000005
【図４】
2006334832.tif 000006
【図５】
2006334832.tif 000007
【図６】
2006334832.tif 000008
【図７】
2006334832.tif 000009
【図８】
2006334832.tif 000010
【図９】
2006334832.tif 000011
【図１０】
2006334832.tif 000012
【図１１】
2006334832.tif 000013
【図１２】
2006334832.tif 000014
【図１３】
2006334832.tif 000015
【図１４】
2006334832.tif 000016